(57)【要約】【課題】低コストであると共に、高度な遮音機能と高度な吸音機能の双方で十分な防音性能を発揮することができる遮音壁を提供する。【解決手段】支柱３・３間で縦方向に立設する遮音パネル５の走行路Ｒ側に、走行路Ｒ側に向かって斜め下方に傾斜する傾斜板６が設けられ、傾斜板６は、遮音パネル５の配置面に沿って略面状に広がるように複数並設され、傾斜板６の下側の空間において入り込んだ騒音Ｓを反射した騒音Ｓで干渉減衰させる遮音壁１。【選択図】図２
2014055408.tif 000002
【特許請求の範囲】
【請求項１】
支柱間で縦方向に立設する遮音パネルの走行路側に、走行路側に向かって斜め下方に傾斜する傾斜板が設けられ、
前記傾斜板は、前記遮音パネルの配置面に沿って略面状に広がるように複数並設され、
前記傾斜板の下側の空間において入り込んだ騒音を反射した騒音で干渉減衰させることを特徴とする遮音壁。
【請求項２】
前記遮音パネルが透光パネルであり、
走行路側から前記傾斜板の下側と前記透光パネルを介して外景を視認可能であることを特徴とする請求項１記載の遮音壁。
【請求項３】
前記傾斜板が前記支柱から突出する支持部材で支持され、
前記傾斜板の走行路側の先端と前記遮音パネルとの間が略全体に亘って開放されていることを特徴とする請求項１又は２記載の遮音壁。
【請求項４】
前記遮音パネルが透光パネルであり、
走行路側から前記傾斜板の下側と前記透光パネルを介して外景を視認可能であると共に、
前記傾斜板が透光性の傾斜板であることを特徴とする請求項２又は３記載の遮音壁。
【請求項５】
前記透光性の傾斜板が透光性の太陽電池モジュールであることを特徴とする請求項４記載の遮音壁。
【請求項６】
前記傾斜板が不透光性の太陽電池モジュールであることを特徴とする請求項１〜３の何れかに記載の遮音壁。
【請求項７】
前記太陽電池モジュールの各々が１ｍ以上の高さに設置されることを特徴とする請求項５又は６記載の遮音壁。
【請求項８】
前記支柱と前記遮音パネルと前記傾斜板を支持する基台が吸音コンクリートで形成されていることを特徴とする請求項１〜７の何れかに記載の遮音壁。
【請求項９】
前記遮音パネルが透光パネルであり、
走行路側から前記傾斜板の下側と前記透光パネルを介して外景を視認可能であると共に、
前記透光パネルの少なくとも一部として若しくは前記透光パネルに沿って配置して透光性の太陽電池モジュールが設けられていることを特徴とする請求項１〜８の何れかに記載の遮音壁。
【請求項１０】
走行路に向かって斜め上方に傾斜する別の傾斜板が設けられ、
前記別の傾斜板の先端と前記傾斜板の先端とを略合わせて配置して突出部が設けられ、
前記別の傾斜板に開口が形成され、
前記開口から前記突出部に入り込んだ騒音を前記突出部内で反射した騒音で干渉減衰させることを特徴とする請求項１記載の遮音壁。
【請求項１１】
前記遮音パネルが透光パネルであると共に、前記別の傾斜板が透光性であり、
走行路側から前記別の傾斜板と前記透光パネルを介して外景を視認可能であることを特徴とする請求項１０記載の遮音壁。
【請求項１２】
前記別の傾斜板の前記開口が走行路に沿って延びるスリット状に形成され、
前記別の傾斜板の下端に洗浄液排出用の孔が形成されていることを特徴とする請求項１０又は１１記載の遮音壁。
【請求項１３】
前記遮音パネルが透光性の繊維強化プラスチック若しくは不透光性の繊維強化プラスチックで形成されていることを特徴とする請求項１記載の遮音壁。
【発明の詳細な説明】
【技術分野】
【０００１】
本発明は、例えば高速道路、自動車専用道路、線路等の走行路の側部に沿って設置される遮音壁に関する。
【背景技術】
【０００２】
従来、自動車等の走行で発生する騒音を抑制して近隣の住居環境を良好に保つため、高速道路、自動車専用道路、線路等の走行路の側部に沿って遮音壁が設置されている。このような遮音壁としては、遮音機能に併せて吸音機能を持たせるために、中空構造にして内部に吸音材が設けられる遮音壁が一般的である。
【０００３】
また、別の遮音壁として、遮音壁の上端から車道側へほぼ水平に配置された水平遮音部材と、水平遮音部材より下方の遮音壁前面から車道側へ斜め上方へ傾斜して配置された斜め遮音部材と、二つの遮音部材の間に挟まれた遮音壁の前面に沿って配置された反転部材で形成される囲み部を、遮音壁の上端部分に設け、囲み部に水平遮音部材の先端部と斜め遮音部材の先端部とで形成する開口部を形成し、開口部から進入した騒音を反転部材に衝突させて位相反転させ、進入してくる騒音と干渉させて吸音するものが提案されている（特許文献１参照）。
【先行技術文献】
【特許文献】
【０００４】
【特許文献１】特開２００２−２９４６３７号公報
【発明の概要】
【発明が解決しようとする課題】
【０００５】
ところで、上記中空構造で内部に吸音材が設けられる遮音壁は、遮音と吸音による防音性能に優れるものの、コストが高いという不具合を有する。他方において、上記特許文献１の遮音壁は、遮音壁の上端近傍でごく一部の騒音を補助的に吸音するものであるため、吸音が不十分であり、遮音機能と吸音機能の双方で十分な防音性能を発揮できるものとは言い難い。そのため、低コストで、且つ、高度な遮音機能と高度な吸音機能の双方で十分な防音性能を発揮することができる遮音壁が求められている。
【０００６】
本発明は上記課題に鑑み提案するものであって、低コストであると共に、高度な遮音機能と高度な吸音機能の双方で十分な防音性能を発揮することができる遮音壁を提供することを目的とする。
【課題を解決するための手段】
【０００７】
本発明の遮音壁は、支柱間で縦方向に立設する遮音パネルの走行路側に、走行路側に向かって斜め下方に傾斜する傾斜板が設けられ、前記傾斜板は、前記遮音パネルの配置面に沿って略面状に広がるように複数並設され、前記傾斜板の下側の空間において入り込んだ騒音を反射した騒音で干渉減衰させることを特徴とする。
この構成によれば、遮音パネルと略面状に広がるように並設される傾斜板の双方により、遮音パネル配置面の全体に亘って高度な遮音を行うことができると共に、略面状に広がって並置される傾斜板の下側の空間により、透光パネル配置面の全体に亘って騒音を減衰して高度な吸音を行うことができ、高度な遮音機能と高度な吸音機能の双方で十分な防音性能を発揮することができる。また、傾斜板の下側をそれぞれ走行路の走行車両等の騒音源に向けることができ、より効果的な騒音の吸音を行うことができる。また、中空構造で内部に吸音材が設けられる遮音壁と異なり、遮音パネルと傾斜板で遮音壁を構成することができることから、遮音壁のコストを低減することができる。
【０００８】
本発明の遮音壁は、前記遮音パネルが透光パネルであり、走行路側から前記傾斜板の下側と前記透光パネルを介して外景を視認可能であることを特徴とする。
この構成によれば、傾斜板の下側と透光パネルを介して外景の視認を可能とし、走行車両に乗車している者等が外景を認識し易い、視認者の斜め上方の方向について透視性を確保することができ、良好な透視性を得ることができる。従って、運転者等の視野を拡げ、心理的な圧迫感を減らす効果や、景観の明確な認識による運転者や同乗者等の楽しみを確保することができる。
【０００９】
本発明の遮音壁は、前記傾斜板が前記支柱から突出する支持部材で支持され、前記傾斜板の走行路側の先端と前記遮音パネルとの間が略全体に亘って開放されていることを特徴とする。
この構成によれば、傾斜板の走行路側の先端と遮音パネルとの間の略全体に亘る開放により、傾斜板の下側により多くの騒音を取り込み、干渉減衰させることができ、より多くの騒音に対して吸音を行うことができる。また、遮音パネルが透光パネルである場合には、傾斜板の下側に透光板等が存在しない状態で透光パネルを介して外景を視認でき、より鮮明に外景を視認することが可能となる。
【００１０】
本発明の遮音壁は、前記遮音パネルが透光パネルであり、走行路側から前記傾斜板の下側と前記透光パネルを介して外景を視認可能であると共に、前記傾斜板が透光性の傾斜板であることを特徴とする。
この構成によれば、傾斜板の下側に加え、傾斜板、透光パネルである遮音パネルを介しても外景を視認することが可能となり、より広い範囲の外景を優れた透視性で視認することが可能となる。
【００１１】
本発明の遮音壁は、前記透光性の傾斜板が透光性の太陽電池モジュールであることを特徴とする。
この構成によれば、より広い範囲の外景の優れた透視性による視認を確保しつつ、傾斜板の部分を利用して効率的に受光し、高効率の太陽光発電を行うことができ、防音性と透視性に優れ、且つ太陽光発電を行える３つの効果を有する遮音壁を得ることができる。また、遮音壁の走行路側を太陽光発電に有効利用することができる。
【００１２】
本発明の遮音壁は、前記傾斜板が不透光性の太陽電池モジュールであることを特徴とする。
この構成によれば、傾斜板の部分を利用して効率的に受光し、高効率の太陽光発電を行うことができ、防音性に優れ、且つ太陽光発電を行える遮音壁を得ることができる。更に、遮音パネルを透光性とする場合には透視性も得ることができる。また、遮音壁の走行路側を太陽光発電に有効利用することができる。
【００１３】
本発明の遮音壁は、前記太陽電池モジュールの各々が１ｍ以上の高さに設置されることを特徴とする。
この構成によれば、走行車両が跳ね上げた石等が太陽電池モジュールに当たることの抑制や、石等が当たった場合の強さの低減を図ることができ、太陽電池モジュールの傷付きや破損を防止し、太陽光発電の安定性の向上、太陽光発電の維持管理コストの低減に資する。
【００１４】
本発明の遮音壁は、前記支柱と前記遮音パネルと前記傾斜板を支持する基台が吸音コンクリートで形成されていることを特徴とする。
この構成によれば、遮音パネルや傾斜板の下方に位置する基台でも吸音を行うことができ、遮音壁の全面に亘って非常に高度な遮音機能と吸音機能が得られ、より十分な防音を行うことができる。
【００１５】
本発明の遮音壁は、前記遮音パネルが透光パネルであり、走行路側から前記傾斜板の下側と前記透光パネルを介して外景を視認可能であると共に、前記透光パネルの少なくとも一部として若しくは前記透光パネルに沿って配置して透光性の太陽電池モジュールが設けられていることを特徴とする。
この構成によれば、透光パネルに対応する部分を利用し、太陽光発電を行うことができ、防音性と透視性に優れ、且つ太陽光発電を行える３つの効果を有する遮音壁を得ることができる、或いは透光パネルに対応する部分と傾斜板の太陽電池モジュールの双方を利用し、太陽光発電を行うことができ、防音性と透視性に優れ、且つ発電量の大きい太陽光発電を行える３つの効果を有する遮音壁を得ることができる。
【００１６】
本発明の遮音壁は、走行路に向かって斜め上方に傾斜する別の傾斜板が設けられ、前記別の傾斜板の先端と前記傾斜板の先端とを略合わせて配置して突出部が設けられ、前記別の傾斜板に開口が形成され、前記開口から前記突出部に入り込んだ騒音を前記突出部内で反射した騒音で干渉減衰させることを特徴とする。
この構成によれば、遮音パネルと略面状に広がるように並設される突出部の双方により、遮音パネルの全体に亘って高度な遮音を行うことができると共に、略面状に広がる突出部により、遮音パネルの全体に亘って騒音を減衰して高度な吸音を行うことができ、高度な遮音機能と高度な吸音機能の双方で十分な防音性能を発揮することができる。また、別の傾斜板の開口をそれぞれ走行路の走行車両等の騒音源に向けることができ、より効果的な騒音の吸音を行うことができる。また、傾斜板と別の傾斜板により、傾斜板の下側の空間について上下の大きな領域を閉塞し、突出部内に取り込んだ騒音の吸音の度合いを高めることができる。
【００１７】
本発明の遮音壁は、前記遮音パネルが透光パネルであると共に、前記別の傾斜板が透光性であり、走行路側から前記別の傾斜板と前記透光パネルを介して外景を視認可能であることを特徴とする。
この構成によれば、透光性の別の傾斜板と透光パネルを介して外景を視認でき、突出部を設ける場合にも良好な透視性を得ることができる。
【００１８】
本発明の遮音壁は、前記別の傾斜板の前記開口が走行路に沿って延びるスリット状に形成され、前記別の傾斜板の下端に洗浄液排出用の孔が形成されていることを特徴とする。
この構成によれば、走行路に沿って延びるスリット状開口により、突出部の長さ方向の略全体に亘って吸音機能を発揮することができると共に、長さ方向に連続するスリット状開口から洗浄水を注入する等により、突出部内の洗浄を容易に行うことができる。更に、洗浄液排出用の孔から洗浄液を排出し、洗浄作業の一層の容易化を図ることができると共に、洗浄液をスムーズに突出部内から排出し、突出部が本来有する吸音機能を即座に復帰することができる。
【００１９】
本発明の遮音壁は、前記遮音パネルが透光性の繊維強化プラスチック若しくは不透光性の繊維強化プラスチックで形成されていることを特徴とする。
この構成によれば、遮音パネルを繊維強化プラスチックとすることにより、低コストで高強度の遮音パネルを得ることができ、遮音壁のコストを飛躍的に低減することができる。また、遮音パネルの繊維強化プラスチックを透光性とする場合には、傾斜板の下側と透光性の遮音パネルを介して外景の視認を可能とし、走行車両に乗車している者等が外景を認識し易い、視認者の斜め上方の方向について透視性を確保することができ、良好な透視性も得ることができる。
【００２０】
また、別発明の遮音壁は、支柱間で縦方向に立設する透光性の遮音パネルの走行路側に、縦方向で離間するようにして太陽電池モジュールが縦横に配列して設けられ、前記太陽電池モジュールの各々が、前記透光パネルから走行路側に向かって斜め下方に傾斜するように配置され、上部を前記支柱に対して取り付けられると共に、下部を前記支柱から走行路側に延びる支持部材若しくは前記支柱から走行路側に延びる透光支持板で支持されることを特徴とする。
この構成によれば、走行路側に太陽電池モジュールを設置して、良好な太陽光発電を行うことができる。また、太陽電池モジュールを縦方向に離間するように配置し、且つ走行路側で斜め下方に傾斜するように配置することにより、走行車両に乗車している者等が外景を認識し易い、遮音壁側に向かって斜め上方に見上げる方向について、太陽電池モジュール相互の間隙から透光性の遮音パネルに抜ける良好な透視性を確保することができる。従って、運転者等の視野を拡げ、心理的な圧迫感を減らす効果や、景観の明確な認識による運転者や同乗者等の楽しみを確保することができる。
【００２１】
また、別発明の遮音壁は、支柱間で縦方向に立設する透光性の遮音パネルの走行路側に、透光性の太陽電池モジュールが縦横に配列して設けられ、前記太陽電池モジュールの各々が、前記透光パネルから走行路側に向かって斜め下方に傾斜するように配置され、上部を前記支柱に対して取り付けられると共に、下部を前記支柱から走行路側に延びる支持部材若しくは前記支柱から走行路側に延びる透光支持板で支持されることを特徴とする。
この構成によれば、走行路側に太陽電池モジュールを設置して、良好な太陽光発電を行うことができる。また、透光性の太陽電池モジュールを走行路側で斜め下方に傾斜するように配置することにより、走行車両に乗車している者等が外景を認識し易い、遮音壁側に向かって斜め上方に見上げる方向について、太陽電池モジュール相互の間隙から透光性の遮音パネルに抜ける良好な透視性を確保することができる。更に、太陽電池モジュールが透光性であることから、より一層良好な透視性を確保することができる。従って、運転者等の視野を拡げ、心理的な圧迫感を減らす効果や、景観の明確な認識による運転者や同乗者等の楽しみを確保することができる。
【００２２】
更に、上記別発明の遮音壁は、前記支柱と前記透光性の遮音パネルが基台で支持され、前記太陽電池モジュールの各々が１ｍ以上の高さに設置されることを特徴とする。
この構成によれば、走行車両が跳ね上げた石等が太陽電池モジュールに当たることの防止や、石等が当たった場合の強さの低減を図ることができ、太陽電池モジュールの傷付きや破損を防止し、太陽光発電の安定性の向上、太陽光発電の維持管理コストの低減に資する。
【００２３】
更に、上記別発明の遮音壁は、前記透光性の遮音パネルの一部として若しくは前記透光性の遮音パネルに沿って配置して透光性の太陽電池モジュールが設けられることを特徴とする。
この構成によれば、透光性の遮音パネルに対応する部分の太陽電池モジュールと傾斜して設置される太陽電池モジュールの双方で太陽光発電を行うことができ、透視性に優れ、且つ発電量の大きい太陽光発電を行える遮音壁を得ることができる。
【発明の効果】
【００２４】
本発明の遮音壁は、低コストであると共に、高度な遮音機能と高度な吸音機能の双方で十分な防音性能を発揮することができる。
【図面の簡単な説明】
【００２５】
【図１】本発明の第１実施形態の遮音壁の正面図。
【図２】第１実施形態の遮音壁の縦断面図。
【図３】本発明の第２実施形態の遮音壁の正面図。
【図４】第２実施形態の遮音壁の縦断面図。
【図５】本発明の第３実施形態の遮音壁の正面図。
【図６】第３実施形態の遮音壁の縦断面図。
【図７】本発明の第４実施形態の遮音壁の正面図。
【図８】第４実施形態の遮音壁の部分拡大正面図。
【図９】第４実施形態の遮音壁の縦断面図。
【図１０】第４実施形態の遮音壁の部分拡大縦断面図。
【図１１】本発明の第５実施形態の遮音壁の正面図。
【図１２】第５実施形態の遮音壁の図１０に対応する部分の部分拡大縦断面図。
【図１３】本発明の第６実施形態の遮音壁の正面図。
【図１４】第６実施形態の遮音壁の図１０に対応する部分の部分拡大縦断面図。
【図１５】本発明の第７実施形態の遮音壁の正面図。
【図１６】本発明の第８実施形態の遮音壁の縦断面図。
【図１７】本発明の第９実施形態の遮音壁の正面図。
【発明を実施するための形態】
【００２６】
〔第１実施形態の遮音壁〕
本発明による第１実施形態の遮音壁１について説明する。
【００２７】
第１実施形態の遮音壁１は、図１及び図２に示すように、走行路Ｒの側方の設置面１００上に設けられるコンクリート製等の基台２と、基台２の上面から縦方向に立設し、アンカー４の基台２への打ち込み等で基台２に固定されている支柱３と、支柱３・３間で縦方向に立設する遮音パネル５と、遮音パネル５の走行路Ｒ側に設けられる傾斜板６と、支柱３から突出して傾斜板６を支持する支持部材７とを備える。
【００２８】
基台２は、後述する支柱３と遮音パネル５と支柱３を介して傾斜板６を支持するものであり、好ましくは内部に気泡が設けられる等で構成される吸音コンクリートとすると、遮音パネル５や傾斜板６の下方に位置する基台２でも吸音を行うことができ、遮音壁１の全面に亘って非常に高度な遮音機能と吸音機能が得られ、より十分な防音を行うことができて良好である。また、基台２の高さは適宜であるが、好ましくは１ｍ以上、より好ましくは１．２ｍ以上とすると、走行路Ｒで跳ね上げられた石が遮音パネル５や傾斜板６に当たることを抑制することが可能となり、更に好ましくは、基台２の高さを１．２ｍ〜１．７ｍ程度とすると、前述の跳ね上げられた石が当たることを一層抑制できることに加え、遮音パネル５を透光性とする場合に、走行路Ｒを走る車両に乗る者等から遮音パネル５等を介して見える走行路外側の外景を遠方まで広範囲に確保することが可能となる。
【００２９】
支柱３は、それぞれ上面視Ｈ型で、両側部に遮音パネル５が嵌め込まれる溝を有し、本実施形態では、板状の遮音パネル５が、支柱３・３間で両側の溝にそれぞれ嵌合されて支持されている。支柱３・３間に設ける遮音パネル５は複数枚或いは一枚とすることが可能であり、図示例では上下に３枚の遮音パネル５が並ぶように設けられている。遮音パネル５は、透光性の遮音パネル５（透光パネル）、或いは不透光性の遮音パネル５とすることが可能である。
【００３０】
遮音パネル５を透光性の遮音パネル５（透光パネル）とする場合には、例えばアクリル樹脂、ポリカーボネート樹脂等、若しくは透光性の繊維強化プラスチック（ＦＲＰ）等の透光性の合成樹脂、或いはガラス等で形成することが可能である。更に、この透光性の遮音パネル５には、透明等の透光性の太陽電池モジュールを用いる、或いはその一部として透明等の透光性の太陽電池モジュールを用いることが可能であり、又、この透光性の遮音パネル５に沿って重ねるように配置して透光性の太陽電池モジュールを設けることも可能である。これにより、透光性の遮音パネル５に対応する部分を利用し、太陽光発電を行うことができ、透視性と防音性に優れ、且つ太陽光発電を行える３つの効果を有する遮音壁１を得ることができる。
【００３１】
また、遮音パネル５を不透光性の遮音パネル５とする場合には、例えばガラス繊維強化プラスチック、炭素繊維強化プラスチック等の、不透光性の繊維強化プラスチック（ＦＲＰ）、或いは金属板等とすることが可能である。透光性若しくは不透光性の繊維強化プラスチックを用いる場合には、高強度の遮音パネル５を低コストで得ることができるので好ましい。また、不透光性の遮音パネル５には、太陽電池モジュールを用いる、或いはその一部として太陽電池モジュールを用いることが可能であり、又、遮音パネル５に沿って重ねるように配置して太陽電池モジュールを設けることも可能である。
【００３２】
支柱３・３間で縦方向に立設する遮音パネル５の走行路Ｒ側には、傾斜板６が走行路Ｒ側に向かって斜め下方に傾斜して設けられている。傾斜板６は、遮音パネル５の配置面に沿って略面状に広がるように複数並設され、図示例の傾斜板６は、上下に３行等の複数行で並べて設けられている。傾斜板６は、透光性或いは不透光性とすることが可能であるが、外景の透視性、視認性の点からは透光性とすることが好ましい。そして、上記遮音パネル５の場合と同様に、傾斜板６を透光性とする場合には、例えばアクリル樹脂、ポリカーボネート樹脂等、若しくは透光性の繊維強化プラスチック（ＦＲＰ）等の透光性の合成樹脂、或いはガラス等とすることが可能であり、又、傾斜板６を不透光性とする場合には、不透光性の繊維強化プラスチック（ＦＲＰ）、金属板等とすることが可能である。
【００３３】
傾斜板６の上部は支柱３に対して取り付けられ、本例では断面視略Ｖ字形の取付具６１を用いてビス留め等で支柱３に固定して取り付けられ、傾斜板６が所定の傾斜角度で設置される。傾斜板６の傾斜角度は、例えば遮音パネル５を透光性にする場合に、遮音パネル５に対して約４０度〜７０度程度とすると、良好な外景の視認性と騒音の干渉減衰の効果を最適化することができて好ましい。尚、支柱３から走行路側に突出するように支柱３に固定される取付具で、傾斜板６を遮音パネル５から離間して走行路側に設ける等により、左右で隣り合う傾斜板６・６が離間せずに、隣接或いは近接して設けられるようにしてもよい。
【００３４】
傾斜板６の下部は、支柱３から走行路Ｒ側に延びる棒状の支持部材７で支持されており、例えば傾斜板６の下端縁が、支持部材７の先端にビス留め等により固定され、支持部材７で支持される。支持部材７の下部は、支柱３に取り付けられ、本例では断面視略Ｖ字形の取付具７１を用いてビス留め等で支柱３に固定して取り付けられ、支持部材７が所定の傾斜角度で或いは水平で設置される。
【００３５】
第１実施形態の遮音壁１では、図２に示すように、傾斜板６の下側の空間において入り込んだ騒音Ｓと反射した騒音Ｓとが干渉減衰するようになっており、並列配置されている各傾斜板６の下側の空間で、遮音パネル５の配置面の略全体に亘って、走行路Ｒ側で生ずる騒音Ｓを干渉減衰して吸音することが可能になっている。更に、傾斜板６の走行路Ｒ側の先端と遮音パネル５との間が略全体に亘って開放されており、傾斜板６の下側により多くの騒音Ｓを取り込み、干渉減衰させることが可能になっている。
【００３６】
第１実施形態の遮音壁１は、遮音パネル５と面状に広がるように並設される傾斜板６の双方により、遮音パネル５の配置面の全体に亘って高度な遮音を行うことができると共に、面状に広がって並置される傾斜板６の下側の空間により、透光パネル５の配置面の全体に亘って騒音を減衰して高度な吸音を行うことができ、高度な遮音機能と高度な吸音機能の双方で十分な防音性能を発揮することができる。また、傾斜板６の下側をそれぞれ走行路Ｒの走行車両等の騒音源に向けることができ、より効果的な騒音の吸音を行うことができる。また、中空構造で内部に吸音材が設けられる遮音壁と異なり、遮音パネル５と傾斜板６で遮音壁１を構成することができることから、遮音壁１のコストを低減することができる。
【００３７】
また、遮音パネル５を透光性とする場合には、走行路Ｒ側から傾斜板６の下側と透光性の遮音パネル５を介して外景が視認可能になることから、走行車両に乗車している者等が外景を認識し易い、視認者の斜め上方の方向について透視性を確保することができ、良好な透視性を得ることができる。従って、運転者等の視野を拡げ、心理的な圧迫感を減らす効果や、景観の明確な認識による運転者や同乗者等の楽しみを確保することができる。また、遮音パネル５を繊維強化プラスチックで形成する場合には、高強度な遮音パネルを低コストで得ることができる。
【００３８】
また、傾斜板６を支持部材７で支持し、傾斜板６の走行路Ｒ側の先端と遮音パネル５との間を略全体に亘って開放することにより、傾斜板６の下側により多くの騒音を取り込み、干渉減衰させることができ、より多くの騒音に対して吸音を行うことができる。また、この開放により、遮音パネル５を透光性とする場合には、傾斜板６の下側に透光板等が存在しない状態で透光性の遮音パネル５を介して外景を視認でき、より鮮明に外景を視認することが可能となる。また、遮音パネル５を透光性にし、且つ傾斜板６を透光性とする場合には、傾斜板６の下側に加え、傾斜板６、透光性の遮音パネル５を介しても外景を視認することが可能となり、より広い範囲の外景を優れた透視性で視認することができる。
【００３９】
〔第２実施形態の遮音壁〕
本発明による第２実施形態の遮音壁１について説明する。
【００４０】
第２実施形態の遮音壁１では、図３及び図４に示すように、傾斜板６が不透光性の太陽電池モジュール６ａで構成されている。太陽電池モジュール６ａは、例えば複数の太陽電池セルが直列或いは並列接続されると共にマトリクス状に配置され、全体として不透明な板状になっている。太陽電池モジュール６ａの各々は、所要の配線によって太陽電池アレイを構成してパワーコンディショナー（図示省略）に接続され、その発電電力は、パワーコンディショナーを介して外部電源系統等に供給される。
【００４１】
太陽電池モジュール６ａの各々の設置高さは、基台２の高さを調整して好ましくは１ｍ以上、より好ましくは１．２ｍ以上とすると、走行路Ｒで跳ね上げられた石が太陽電池モジュール６ａに当たることの抑制や、石等が当たった場合の強さの低減を図ることができ、太陽電池モジュール６ａの傷付きや破損を防止し、太陽光発電の安定性の向上、太陽光発電の維持管理コストの低減に資することが可能となる。更に好ましくは、基台２の高さを１．２ｍ〜１．７ｍ程度とすると、前述の効果に加え、遮音パネル５を透光性とする場合に、走行路Ｒを走る車両に乗る者等から透光性の遮音パネル５等を介して見える走行路外側の外景を遠方まで広範囲に確保することが可能となる。
【００４２】
また、太陽電池モジュール６ａの傾斜角度は、例えば遮音パネル５に対して約４０度〜７０度程度とすると、騒音の干渉減衰の効果と太陽光の受光量増大の観点から好ましく、更に、遮音パネル５を透光性とする場合には、良好な外景の視認性の観点からも好ましい。尚、遮音パネル５を透光性とする場合、透明等の透光性の太陽電池モジュールを用いる、或いはその一部として透明等の透光性の太陽電池モジュールを用いることが可能であり、又、この透光性の遮音パネル５に沿って重ねるように配置して透光性の太陽電池モジュールを設けることも可能である。これにより、透光性の遮音パネル５に対応する部分と傾斜板６に対応する部分の双方を利用し、太陽光発電を行うことができ、防音性と透視性に優れ、且つ太陽光発電を行える３つの効果を有する遮音壁１を得ることができる。その他の構成は第１実施形態と同様である。
【００４３】
第２実施形態の遮音壁１は、傾斜板の部分を利用して太陽電池モジュール６ａで効率的に受光し、高効率の太陽光発電を行うことができ、防音性に優れ、且つ太陽光発電を行える３つの効果を有する遮音壁１を得ることができ、更に、遮音パネル５を透光性とする場合には優れた透視性も得られる。尚、遮音パネル５を透光性とし、不透明な太陽電池モジュールを走行路側と反対の遮音壁の外側において、外側方向に向かって斜め下方に傾斜するように設ける場合、遮音壁側に向かって斜め上方に見上げる方向の視認が太陽電池モジュールによって妨げられるので、視認性の点からは不都合を生ずる。更に、遮音壁１の走行路Ｒ側を太陽光発電に有効利用することができる。更に、第１実施形態と対応する構成により、対応する効果が得られる。
【００４４】
〔第３実施形態の遮音壁〕
本発明による第３実施形態の遮音壁１について説明する。
【００４５】
第３実施形態の遮音壁１では、図５及び図６に示すように、遮音パネル５が透光性であると共に、傾斜板６が透光性の太陽電池モジュール６ｂで構成されている。その他の構成や変形例は第２実施形態と同様である。
【００４６】
第３実施形態の遮音壁１は、より広い範囲の外景の優れた透視性による視認を確保しつつ、傾斜板の部分の太陽電池モジュール６ｂを利用して効率的に受光し、高効率の太陽光発電を行うことができ、防音性と透視性に優れ、且つ太陽光発電を行える３つの効果を有する遮音壁１を得ることができる。更に、第１、第２実施形態と対応する構成により、対応する効果が得られる。
【００４７】
〔第４実施形態の遮音壁〕
本発明による第４実施形態の遮音壁１について説明する。
【００４８】
第４実施形態の遮音壁１は、図７〜図１０に示すように、第１実施形態と同様の基台２、支柱３、アンカー４、遮音パネル５を有すると共に、第２実施形態と同様の太陽電池モジュール６ａを傾斜板６として有する。更に、走行路Ｒに向かって斜め上方に傾斜する別の傾斜板８が設けられ、別の傾斜板８の先端と傾斜板に相当する太陽電池モジュール６ａの先端を略合わせて配置することにより突出部が設けられている。太陽電池モジュール６ａ或いは突出部は、遮音パネル５の配置面に沿って面状に広がるように複数並設され、上下に３行等の複数行で並べて設けられている。また、遮音パネル５と太陽電池モジュール６ａと別の傾斜板８で形成される三角筒の両側開口には、この開口を閉塞するように三角形状の側板９・９が設けられている。
【００４９】
別の傾斜板８には、走行路Ｒに沿って延びるスリット状の開口８１が形成されており、各別の傾斜板８の開口８１は上下に所定間隔を開けて複数並ぶように形成されている。図示例の開口８１は、別の傾斜板８の略全長に亘る長さとされ、上下に間隔を開けて５個等の複数個形成されている。更に、本実施形態では、別の傾斜板８において最も下に位置する開口８１が、別の傾斜板８の下端縁に近い位置に設けられており、これらの開口８１から突出部内に洗浄液を噴入する等により、突出部内を洗浄可能になっている。また、開口８１から突出部に入り込んだ騒音Ｓを突出部内で反射した騒音Ｓで干渉減衰させるようになっている。別の傾斜板８は、透光性或いは不透光性とすることが可能であり、透光性の別に傾斜板８、不透光性の別の傾斜板８は、それぞれ上記実施形態の遮音パネル５と同様の素材等で構成することが可能である。
【００５０】
太陽電池モジュール６ａの下端縁は、別の傾斜板８の上端縁にビス留め等により固定され、太陽電池モジュール６ａの下端縁が別の傾斜板８の上端縁で支持されるようになっている。本例の太陽電池モジュール６ａは、遮音パネル５に対して例えば約４５度の角度になるように傾斜配置され、遮音パネル５に対して例えば約４０度〜５０度程度で傾斜配置される別の傾斜板８で支持されている。
【００５１】
三角形状の側板９は、略垂直方向に延びる辺を遮音パネル５に当接するように配置され、遮音パネル５から斜め上方に傾斜する辺を略同一の傾斜を有する別の傾斜板８の側縁に沿わせ、別の傾斜板８の側縁に接着或いはビス留め等で固定されている。側板９の遮音パネル５から斜め下方に傾斜する辺は略同一の傾斜を有する太陽電池モジュール６ａの側縁に沿わされ、太陽電池モジュール６ａの側縁にビス留め等で固定されている。側板９も、透光性或いは不透光性とすることが可能であり、透光性の側板９、不透光性の側板９は、それぞれ上記実施形態の遮音パネル５と同様の素材等で構成することが可能である。
【００５２】
そして、支柱３には上下の長手方向に沿ってＬ字状の取付具１０が設けられ、Ｌ字状の取付具１０の一方の面を支柱３にネジ留め等で固定し、他方の面をビス留め等で側板９に固定することにより、支柱３に対して側板９が固定され、更に、側板９に固定されている太陽電池モジュール６ａと別の傾斜板８が支柱３に対して所定位置で固定される。尚、傾斜板である太陽電池モジュール６ａと別の傾斜板８を所定の取付具で支柱３に固定し、側板９を設けない突出部で騒音Ｓの減衰が可能な構成とすることも可能である。
【００５３】
第４実施形態の遮音壁１は、遮音パネル５と面状に広がるように並設される突出部の双方により、遮音パネル５の全体に亘って高度な遮音を行うことができる。また、面状に広がる突出部により、開口８１から突出部内に入り込む騒音Ｓと、既に突出部内に入り込んで内部で反射している騒音Ｓとが干渉減衰するようになっており、遮音パネル５の全体に亘って騒音Ｓを減衰して高度な吸音を行うことができ、高度な遮音機能と高度な吸音機能の双方で十分な防音性能を発揮することができる。
【００５４】
また、別の傾斜板８の開口８１をそれぞれ走行路Ｒの走行車両等の騒音源に向けることができ、より効果的な騒音の吸音を行うことができる。また、傾斜板に相当する太陽電池モジュール６ａと別の傾斜板８により、太陽電池モジュール６ａの下側の空間について上下の大きな領域を閉塞し、突出部内に取り込んだ騒音Ｓの吸音の度合いを高めることができる。また、走行路Ｒに沿って延びるスリット状の開口８１により、突出部の長さ方向の略全体に亘って吸音機能を発揮することができる。また、遮音パネル５と別の傾斜板８の双方を透光性とする場合には、透光性の別の傾斜板８と透光性の遮音パネル５を介して外景を視認でき、良好な透視性を得ることができる。更に、第１、第２実施形態と対応する構成により、対応する効果が得られる。
【００５５】
〔第５実施形態の遮音壁〕
本発明による第５実施形態の遮音壁１について説明する。
【００５６】
第５実施形態の遮音壁１は、図１１及び図１２に示すように、走行路Ｒに沿って延びるスリット状の開口８１が別の傾斜板８の略全長に亘る長さで単数形成され、開口８１から突出部に入り込んだ騒音Ｓを突出部内で反射した騒音Ｓで干渉減衰させるようになっている。更に、突出部の下端に相当する別の傾斜板８の下端の複数箇所には凹状の切欠が所定間隔を開けて形成され、この切欠と遮音パネル５により、別の傾斜板８の下端に洗浄液排出用孔８２が形成されている。その他の構成は第４実施形態と同様である。尚、別の傾斜板８の開口８１は、第１実施形態のように上下に複数並べて形成してもよい。
【００５７】
第５実施形態の遮音壁１は、走行路Ｒに沿って延びるスリット状の開口８１により、突出部の長さ方向の略全体に亘って吸音機能を発揮することができると共に、長さ方向に連続するスリット状の開口８１から洗浄水を注入する等により、突出部内の洗浄を容易に行うことができる。更に、洗浄液排出用孔８２から洗浄液を排出し、洗浄作業の一層の容易化を図ることができると共に、洗浄液をスムーズに突出部内から排出し、突出部が本来有する吸音機能を即座に復帰することができる。更に、第４実施形態と対応する構成により、騒音減衰による高度な吸音等の対応する効果が得られる。
【００５８】
〔第６実施形態の遮音壁〕
本発明による第６実施形態の遮音壁１について説明する。
【００５９】
第６実施形態の遮音壁１では、図１３及び図１４に示すように、突出部の開口として別の傾斜板８に横方向に並んで略円形の開口８３が形成され、開口８３は別の傾斜板８の長さ方向に点在して形成されており、開口８３から突出部に入り込んだ騒音Ｓが突出部内で反射した騒音Ｓで干渉減衰されるようになっている。図示例の開口８３は一行で形成されているが、上下に複数行で形成することも可能である。また、第５実施形態と同様に、突出部の下端に相当する別の傾斜板８の下端の複数箇所には凹状の切欠が形成され、この切欠と遮音パネル５により、別の傾斜板８の下端に洗浄液排出用孔８２が形成されている。その他の構成は第５実施形態と同様である。
【００６０】
第６実施形態の遮音壁１は、突出部の長さ方向に沿って長さ方向の略全体に亘り点在する開口８３により、その長さ方向の略全体に亘って吸音機能を発揮することができると共に、点在する開口８３から洗浄水を注入する等により、突出部内の洗浄を容易に行うことができる。更に、洗浄液排出用孔８２から洗浄液を排出し、洗浄作業の一層の容易化を図ることができると共に、洗浄液をスムーズに突出部内から排出し、突出部が本来有する吸音機能を即座に復帰することができる。更に、第５実施形態と対応する構成により、対応する効果が得られる。
【００６１】
〔第７実施形態の遮音壁〕
本発明による第７実施形態の遮音壁１について説明する。
【００６２】
第７実施形態の遮音壁１では、図１５に示すように、第４実施形態の不透明な板状の太陽電池モジュール６ａに代え、透光性の太陽電池モジュール６ｂが対応する箇所に設置されている。また、遮音パネル５と別の傾斜板８はそれぞれ透光性になっている。その他の構成及び変形例は第４実施形態と同様である。
【００６３】
第７実施形態の遮音壁１では、透光性の別の傾斜板８、透光性の太陽電池モジュール６ｂ、透光性の遮音パネル５で透視性を確保し、透視性に非常に優れ、防音と太陽光発電を行える３つの効果を有する遮音壁１を得ることができる。更に、第４実施形態と対応する構成により、対応する効果が得られる。
【００６４】
〔第８実施形態の遮音壁〕
本発明による第８実施形態の遮音壁１について説明する。
【００６５】
第８実施形態の遮音壁１は、基本的な構成は第１実施形態と同様であり、図１６に示すように、基台２、支柱３、アンカー４、遮音パネル５、傾斜板６、支持部材７で構成されるものであるが、遮音パネル５の配置面に沿って略面状に広がるように複数並設される傾斜板６が、上下に６行の複数行で並べて設けられている。その他の構成及び変形例は第１実施形態と同様である。
【００６６】
第８実施形態の遮音壁１は、例えば５行以上等の多めの複数行で傾斜板６を上下に配置することにより、傾斜板６の走行路側への突出量を抑制し、基台２より走行路Ｒ側に突出することを防止できる。また、遮音パネル５を透光性とする場合には、傾斜板６の突出方向の長さを短くすることにより、傾斜板６の下側を介しての外景の視認性を一層高めることができる。また、傾斜板６を太陽電池モジュールとする場合には、太陽電池モジュールをより太陽光を受光しやすい傾斜角度やより日陰になりにくい状態で設置し、太陽光発電の効率性を高めることができると共に、突出量の抑制で、跳ねられた石等が太陽電池モジュールに接触することを防止することができる。更に、第１実施形態と対応する構成により、対応する効果を生ずる。
【００６７】
〔第９実施形態の遮音壁〕
本発明による第９実施形態の遮音壁１について説明する。
【００６８】
第９実施形態の遮音壁１は、基本的な構成は第３実施形態と同様であり、図１７に示すように、遮音パネル５が透光性の透光パネルであると共に、透光性の傾斜板６として透光性の太陽電池モジュール６ｃが設けられている。透光性の太陽電池モジュール６ｃは、透光性のパネルに所定間隔を開けて太陽電池である不透光部６２ｃが設けられており、本例では所定間隔を開けた縦縞状に不透光部６２ｃが設けられ、不透光部６２ｃ・６２ｃの間の領域や不透光部６２ｃの上下端より縁寄りの領域は透光部６３ｃになっている。その他の構成や変形例は第３実施形態と同様である。
【００６９】
透光性の太陽電池モジュール６ｃは、不透光部６２ｃ・６２ｃの間や不透光部６２ｃの上下端より縁寄りの透光部６３ｃから外景を視認可能であり、特に走行路Ｒを走行中の運転者等からは残像効果によって外景を良好に視認することが可能である。
【００７０】
第９実施形態の遮音壁１は、より広い範囲の外景の優れた透視性による視認を確保しつつ、傾斜板の部分の太陽電池モジュール６ｃを利用して効率的に受光し、高効率の太陽光発電を行うことができ、防音性と透視性に優れ、且つ太陽光発電を行える３つの効果を有する遮音壁１を得ることができる。更に、第３実施形態と対応する構成により、対応する効果が得られる。
【００７１】
〔第１〜第８実施形態の遮音壁の変形例等〕
本明細書開示の発明は、各発明、各実施形態、各例の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを包含し、下記変形例も包含する。
【００７２】
例えば傾斜板６は、遮音パネル５の配置面に沿って略面状に広がるように複数並設されれば、縦横に並べて配置する他、千鳥状に配置するなど適宜である。また、別の傾斜板８の開口は、開口８１、８３以外にも、傾斜板６の下側の空間或いは突出部内で騒音Ｓの干渉減衰が可能であれば適宜箇所、適宜形状で設けることが可能である。また、太陽電池モジュール６ａ、６ｂ、６ｃ等の傾斜板６、別の傾斜板８には湾曲した形状のものも含まれる。また、別の傾斜板８に代えて、透光性の水平板若しくは不透光性の水平板を設け、この水平板と傾斜板６の先端を固定し、傾斜板６を支持するようにすることも可能であり、更に、この水平板を透光性若しくは不透光性の太陽電池モジュールとすることも可能である。
【００７３】
また、傾斜板６は縦方向で離間して設ける構成或いは縦方向で近接するように設ける構成とすることが可能であるが、傾斜板６を縦方向に近接するように設けると、より吸音性能を高めることができて好ましい。更に、傾斜板６を透光性の太陽電池モジュール６ｂ、６ｃとし、縦方向に近接するように設ける場合には、太陽電池モジュール６ｂ、６ｃの数を増大させて太陽光発電の効率を高めることができると共に、上側の太陽電池モジュール６ｂ、６ｃを通った太陽光を下側の太陽電池モジュール６ｂ、６ｃで受光することも可能となって、より一層太陽光発電の効率を向上することができる。
【００７４】
また、本明細書開示の発明には、別発明の第１例の遮音壁として、傾斜板の下側の空間において入り込んだ騒音を反射した騒音で干渉減衰させるように傾斜板が設定される構成の有無を問わずに、支柱３・３間で縦方向に立設する透光性の遮音パネル５の走行路Ｒ側に、縦方向で離間するようにして不透光性の太陽電池モジュール６ａ等が縦横に配列して設けられ、太陽電池モジュール６ａ等の各々が、遮音パネル５から走行路Ｒ側に向かって斜め下方に傾斜するように配置され、上部を支柱３に対して取り付けられると共に、下部を支柱３から走行路側に延びる支持部材７若しくは支柱３から走行路側に延びる透光支持板で支持されるものも含まれる（図３、図４参照）。
【００７５】
第１例の遮音壁によれば、走行路Ｒ側に太陽電池モジュール６ａ等を設置して、良好な太陽光発電を行うことができる。また、太陽電池モジュール６ａ等を縦方向に離間するように配置し、且つ走行路Ｒ側で斜め下方に傾斜するように配置することにより、走行車両に乗車している者等が外景を認識し易い、遮音壁側に向かって斜め上方に見上げる方向について、太陽電池モジュール６ａ・６ａ等相互の間隙から透光性の遮音パネル５に抜ける良好な透視性を確保することができる。従って、運転者等の視野を拡げ、心理的な圧迫感を減らす効果や、景観の明確な認識による運転者や同乗者等の楽しみを確保することができる。
【００７６】
また、本明細書開示の発明には、別発明の第２例の遮音壁として、傾斜板の下側の空間において入り込んだ騒音を反射した騒音で干渉減衰させるように傾斜板が設定される構成の有無を問わずに、支柱３・３間で縦方向に立設する透光性の遮音パネル５の走行路Ｒ側に、透光性の太陽電池モジュール６ｂ、６ｃが縦横に配列して設けられ、太陽電池モジュール６ｂ、６ｃの各々が、透光性の遮音パネル５から走行路Ｒ側に向かって斜め下方に傾斜するように配置され、上部を支柱３に対して取り付けられると共に、下部を支柱３から走行路Ｒ側に延びる支持部材７若しくは支柱３から走行路Ｒ側に延びる透光支持板で支持されるものも含まれる（図５参照）。
【００７７】
第２例の遮音壁によれば、走行路Ｒ側に太陽電池モジュール６ｂ、６ｃを設置して、良好な太陽光発電を行うことができる。また、透光性の太陽電池モジュール６ｂ、６ｃを走行路Ｒ側で斜め下方に傾斜するように配置することにより、走行車両に乗車している者等が外景を認識し易い、遮音壁側に向かって斜め上方に見上げる方向について、太陽電池モジュール６ｂ・６ｂ等相互の間隙から透光性の遮音パネル５に抜ける良好な透視性を確保することができる。更に、太陽電池モジュール６ｂ、６ｃが透光性であることから、より一層良好な透視性を確保することができる。従って、運転者等の視野を拡げ、心理的な圧迫感を減らす効果や、景観の明確な認識による運転者や同乗者等の楽しみを確保することができる。
【００７８】
第１例と第２例の遮音壁でも、支柱３と透光性の遮音パネル５を基台２で支持し、太陽電池モジュール６ａ、６ｂ、６ｃ等の各々を１ｍ以上の高さに設置すると好適であり、これにより、走行車両が跳ね上げた石等が太陽電池モジュール６ａ、６ｂ、６ｃ等に当たることの防止や、石等が当たった場合の強さの低減を図ることができ、太陽電池モジュール６ａ、６ｂ、６ｃ等の傷付きや破損を防止し、太陽光発電の安定性の向上、太陽光発電の維持管理コストの低減を図ることができる。
【００７９】
また、第１例と第２例の遮音壁でも、透光性の遮音パネル５の一部として若しくは透光性の遮音パネル５に沿って配置して透光性の太陽電池モジュールを設けると好適であり、これにより、透光性の遮音パネル５に対応する部分の太陽電池モジュールと傾斜して設置される太陽電池モジュール６ａ、６ｂ、６ｃ等の双方で太陽光発電を行うことができ、透視性に優れ、且つ発電量の大きい太陽光発電を行える遮音壁を得ることができる。
【産業上の利用可能性】
【００８０】
本発明は、例えば高速道路、自動車専用道路、線路等の走行路に設置される遮音壁として利用することができる。
【符号の説明】
【００８１】
１…遮音壁  ２…基台  ３…支柱  ４…アンカー  ５…透光パネル  ６…傾斜板、６ａ、６ｂ、６ｃ…太陽電池モジュール  ６１…取付具  ６２ｃ…不透光部  ６３ｃ…透光部  ７…支持部材  ７１…取付具  ８…別の傾斜板  ８１、８３…開口  ８２…洗浄液排出用孔  ９…透光側板  １０…取付具  １００…設置面  Ｒ…走行路  Ｓ…騒音
【図１】
2014055408.tif 000003
【図２】
2014055408.tif 000004
【図３】
2014055408.tif 000005
【図４】
2014055408.tif 000006
【図５】
2014055408.tif 000007
【図６】
2014055408.tif 000008
【図７】
2014055408.tif 000009
【図８】
2014055408.tif 000010
【図９】
2014055408.tif 000011
【図１０】
2014055408.tif 000012
【図１１】
2014055408.tif 000013
【図１２】
2014055408.tif 000014
【図１３】
2014055408.tif 000015
【図１４】
2014055408.tif 000016
【図１５】
2014055408.tif 000017
【図１６】
2014055408.tif 000018
【図１７】
2014055408.tif 000019